(57)【特許請求の範囲】
【請求項１】
本体の前面に配置されたディスプレイが可動し、上記ディスプレイが開いた状態でポータブル機器を上記本体に挿入して収納し、上記ディスプレイが閉じた状態で上記ポータブル機器を動作させることができるように成されたＡＶ機器であって、
上記ポータブル機器に備えられたアンテナを介して受信される信号の受信電界強度を取得する電界強度取得部と、
上記電界強度取得部により取得された受信電界強度に応じて上記ディスプレイを駆動し、上記ディスプレイの開き度合いを制御するディスプレイ駆動部とを備えたことを特徴とするＡＶ機器。
【請求項２】
上記ポータブル機器に備えられたマイクの感度を取得するマイク感度取得部を更に備え、
上記ディスプレイ駆動部は、上記電界強度取得部により取得された受信電界強度および上記マイク感度により取得されたマイク感度に応じて上記ディスプレイを駆動し、上記ディスプレイの開き度合いを制御することを特徴とする請求項１に記載のＡＶ機器。
【請求項３】
本体の前面に配置されたディスプレイが可動し、上記ディスプレイが開いた状態でポータブル機器を上記本体に挿入して収納し、上記ディスプレイが閉じた状態で上記ポータブル機器を動作させることができるように成されたＡＶ機器であって、
上記ディスプレイの所定位置に設けられた開口部と、
上記ポータブル機器に備えられたアンテナを介して受信される信号の受信電界強度を取得する電界強度取得部と、
上記ポータブル機器の収納位置を移動させる移動機構と、
上記電界強度取得部により取得された受信電界強度に応じて上記移動機構を駆動し、上記ポータブル機器の収納位置を上記開口部に近づけるように制御する機器駆動部とを備えたことを特徴とするＡＶ機器。
【請求項４】
上記ポータブル機器に備えられたマイクの感度を取得するマイク感度取得部を更に備え、
上記機器駆動部は、上記電界強度取得部により取得された受信電界強度および上記マイク感度により取得されたマイク感度に応じて上記移動機構を駆動し、上記ポータブル機器の収納位置を上記開口部に近づけるように制御する機器駆動部とを備えたことを特徴とする請求項３に記載のＡＶ機器。
【請求項５】
本体の前面に配置されたディスプレイが可動し、上記ディスプレイが開いた状態でポータブル機器を上記本体に挿入して収納し、上記ディスプレイが閉じた状態で上記ポータブル機器を動作させることができるように成されたＡＶ機器であって、
上記ディスプレイの所定位置に設けられたシャッタ付きの開口部と、
上記ポータブル機器に備えられたアンテナを介して受信される信号の受信電界強度を取得する電界強度取得部と、
上記電界強度取得部により取得された受信電界強度に応じて上記シャッタの開閉を制御するシャッタ制御部とを備えたことを特徴とするＡＶ機器。
【請求項６】
本体の前面に配置されたディスプレイが可動し、上記ディスプレイが開いた状態でポータブル機器を上記本体に挿入して収納し、上記ディスプレイが閉じた状態で上記ポータブル機器を動作させることができるように成されたＡＶ機器において、
上記ＡＶ機器の外部にある携帯電話での着信の有無を判定する第１のステップと、
上記着信があったと判断した場合に、上記ポータブル機器に備えられたアンテナを介して受信される信号の受信電界強度を取得する第２のステップと、
上記取得した受信電界強度が所定レベル以上か否かを判定し、上記所定レベル以上でない場合に、ディスプレイ駆動部が上記ディスプレイを所定量だけ開くように制御する第３のステップとを有することを特徴とするＡＶ機器の制御方法。
【請求項７】
上記着信があったと判断した場合に、上記ポータブル機器に備えられたマイクの感度を取得する第４のステップを有し、
上記第３のステップでは、上記第２のステップで取得した受信電界強度が所定レベル以下であるか、上記第４のステップで取得したマイク感度が所定レベル以下である場合に、上記ディスプレイ駆動部が上記ディスプレイを所定量だけ開くように制御することを特徴とする請求項６に記載のＡＶ機器の制御方法。
【請求項８】
本体の前面に配置されたディスプレイが可動し、上記ディスプレイが開いた状態でポータブル機器を上記本体に挿入して収納し、上記ディスプレイが閉じた状態で上記ポータブル機器を動作させることができるように成されたＡＶ機器において、
上記ポータブル機器を利用して音声信号のダウンロード再生を行うモードに設定されているか否かを判定する第１のステップと、
上記ダウンロード再生のモードに設定されていると判断した場合に、上記ポータブル機器に備えられたアンテナを介して受信される信号の受信電界強度を取得する第２のステップと、
上記取得した受信電界強度が所定レベル以上か否かを判定し、上記所定レベル以下の場合に、ディスプレイ駆動部が上記ディスプレイを所定量だけ開くように制御する第３のステップとを有することを特徴とするＡＶ機器の制御方法。
【発明の詳細な説明】
【技術分野】
【０００１】
本発明は、ＡＶ機器およびその制御方法に関し、特に、本体の前面に配置されたディスプレイが可動し、ディスプレイが開いた状態でポータブル機器を上記本体に挿入して収納し、ディスプレイが閉じた状態でポータブル機器を動作させることができるように成されたＡＶ機器に用いて好適なものである。
【背景技術】
【０００２】
従来、本体の前面に配置されたディスプレイを開き、その状態で本体の内部にＣＤ（Compact Disc）やＤＶＤ（Digital Versatile Disk）等のメディアを挿入して収納できるように成された車載用のＡＶ（Audio Visual）機器が存在する。最近では、図７に示すように、Bluetooth等の近距離無線通信規格のアンテナ１０１を備えたポータブル機器１００を本体内に収納できるように成されたＡＶ機器２００も提供されている。
【０００３】
ポータブル機器１００の中には、Bluetoothアンテナ１０１の他にマイク１０２を備え、ハンズフリー装置として利用することができるように成されたものがある。この種のポータブル機器１００は、ＡＶ機器２００の内部に収納された状態で、ＡＶ機器２００の外部にあるBluetooth内蔵の携帯電話との間でBluetoothアンテナ１０１を介して音声信号のやり取りをする。そして、携帯電話から受信した音声信号（受話音声）をＡＶ機器２００のスピーカから出力するとともに、マイク１０２から入力した音声信号（送話音声）を携帯電話に送信して、携帯電話から通話の相手側に送る。
【０００４】
また、ポータブル機器１００の中には、音楽のダウンロード再生に利用することができるように成されたものもある。この種のポータブル機器１００は、ＡＶ機器２００の内部に格納された状態で、ＡＶ機器２００の外部にある携帯型オーディオプレーヤとの間でBluetoothアンテナ１０１を介して音声信号のやり取りをする。そして、携帯型オーディオプレーヤから受信した音声信号をＡＶ機器２００のスピーカから出力する。
【０００５】
ここで、ＡＶ機器２００の内部にポータブル機器１００を収納して、当該ポータブル機器１００を実際に動作させているときは、ＡＶ機器２００のディスプレイ２０１は閉じられている。そして、その動作に関連する種々の情報がディスプレイ２０１の画面に表示されるようになっている。また、ディスプレイ２０１にタッチパネルが配置されているときは、動作状態を制御するための操作をタッチパネルへのタッチ操作により行うことができるようになっている。なお、ディスプレイ２０１の表示を見やすくするために、視野角を変更できるようにした技術も提案されている（例えば、特許文献１参照）。
【特許文献１】特開平１０−１９７８４３号公報
【発明の開示】
【発明が解決しようとする課題】
【０００６】
しかしながら、ポータブル機器１００の動作時には、これを収納したＡＶ機器２００のディスプレイ２０１が閉じられているため、次のような問題を生じる。例えば、ポータブル機器１００をハンズフリー通話に用いる場合、ポータブル機器１００のBluetoothアンテナ１０１がＡＶ機器２００のディスプレイ２０１によって遮蔽されていても、ＡＶ機器２００の本体とディスプレイ２０１との隙間から回折・流入してくる信号をBluetoothアンテナ１０１が捕らえて、待ち受け状態時における着信の有無を検出することは可能である。
【０００７】
ところが通話時には、連続した音声ストリームを確保するためにBluetoothアンテナ１０１で安定的に信号を受信しなければならないにも関わらず、隙間から回折・流入してくる不安定な信号ではそれが困難であり、通話の音切れが発生してしまうという問題があった。また、ポータブル機器１００のマイク１０２がＡＶ機器２００のディスプレイ２０１によって遮蔽されているため、マイク１０２の入力感度が低下し、話者音声をうまく捕らえることができなくなってしまうという問題もあった。
【０００８】
また、ポータブル機器１００を音楽のダウンロード再生に用いる場合にも、連続した音声ストリームを確保するためにBluetoothアンテナ１０１で安定的に信号を受信しなければならない。しかしながら、ＡＶ機器２００の本体とディスプレイ２０１との隙間から回折・流入してくる不安定な信号ではそれが困難であり、再生音声の音切れが発生してしまうという問題があった。
【０００９】
本発明は、このような問題を解決するために成されたものであり、ＡＶ機器に収納したポータブル機器の動作時に、ポータブル機器のアンテナを介して受信される音声信号に関して充分な受信電界強度を安定的に確保できるようにすることを目的とする。
また、本発明は、ＡＶ機器に収納したポータブル機器の動作時に、ポータブル機器のマイクより入力される音声信号に関して充分なマイク感度を安定的に確保できるようにすることを目的とする。
【課題を解決するための手段】
【００１０】
上記した課題を解決するために、本発明では、ＡＶ機器の本体に収納されたポータブル機器に備えられているアンテナを介して受信される信号の受信電界強度に応じて、本体内のアンテナと本体外との間における無線通信にとって障害となる要素が少なくなるようにＡＶ機器の構成部材を駆動して移動させるようにしている。例えば、ＡＶ機器の前面に配置されたディスプレイの開き度合いが大きくなるようにディスプレイを開く。また、本体内でのポータブル機器がディスプレイの開口部に近づくように収納位置を移動させる。
【００１１】
本発明の他の態様では、ＡＶ機器の本体に収納されたポータブル機器に備えられているマイクの感度に応じて、本体内のマイクと本体外との間における音声の伝播にとって障害となる要素が少なくなるようにＡＶ機器の構成部材を駆動して移動させるようにしている。例えば、ＡＶ機器の前面に配置されたディスプレイの開き度合いが大きくなるようにディスプレイを開く。また、本体内でのポータブル機器がディスプレイの開口部に近づくように収納位置を移動させる。
【発明の効果】
【００１２】
上記のように構成した本発明によれば、ポータブル機器がＡＶ機器の内部に収納されているために、例えば連続した音声ストリームを確保するために必要な受信電界強度が充分に確保できていない場合には、ＡＶ機器の構成部材（例えば、ディスプレイあるいはポータブル機器の移動機構）が移動することによって、受信電界強度が確保できなくなっている阻害要因が回避されることとなる。これにより、ＡＶ機器に収納したポータブル機器の動作時に、ポータブル機器のアンテナを介して受信される音声信号に関して充分な受信電界強度を安定的に確保することができ、音切れの発生を防止することが可能となる。
【００１３】
本発明の他の特徴によれば、ポータブル機器がＡＶ機器の内部に収納されているために、例えば良好な音質を確保するために必要なマイク感度が充分に確保できていない場合には、ＡＶ機器の構成部材が移動することによって、マイク感度が確保できなくなっている阻害要因が回避されることとなる。これにより、ＡＶ機器に収納したポータブル機器の動作時に、マイクより入力される音声信号に関して充分なマイク感度を安定的に確保することができる。
【発明を実施するための最良の形態】
【００１４】
（第１の実施形態）
以下、本発明の一実施形態を図面に基づいて説明する。図１は、第１の実施形態によるＡＶ機器１０およびこれに収納されるポータブル機器２０の構成例を示す図である。図１に示すように、本実施形態のＡＶ機器１０は、音声信号セレクタ１１、電子ボリューム１２、音声増幅器１３、スピーカ１４、ディスプレイ１５、モータドライバ１６、モータ１７およびマイコン１８を備えている。
【００１５】
音声信号セレクタ１１は、ＡＶ機器１０で再生する音声信号のソースを選択するものである。例えば、ＡＶ機器１０がラジオ受信部およびＤＶＤ（Digital Versatile Disk）再生部を有している場合、音声信号セレクタ１１は、ラジオ受信部からの音声信号、ＤＶＤ再生部からの音声信号、ポータブル機器２０からの音声信号のうち何れかを選択的に出力する。
【００１６】
電子ボリューム１２は、ボリューム１２ａ、トーンコントローラ１２ｂおよびフェードボリューム１２ｃを備え、音声信号セレクタ１１から出力された音声信号の音量を調整して出力する。音声増幅器１３は、電子ボリューム１２から出力された音声信号を増幅して出力する。スピーカ１４は、音声増幅器１３により増幅された音声信号に基づいて音声を出力する。
【００１７】
ディスプレイ１５は、音声信号の再生に関連する種々の情報を表示するものである。また、このディスプレイ１５にはタッチパネルが配置されていて、ラジオ受信部やＤＶＤ再生部、またはポータブル機器２０の動作状態を制御するための操作をタッチパネルへのタッチ操作により行うことができるようになっている。
【００１８】
このディスプレイ１５は、ＡＶ機器１０の本体の前面に配置されている。そして、モータドライバ１６がモータ１７を駆動することによって、ディスプレイ１５が可動するようになっている。図７に示したように、ディスプレイ１５が開いた状態でポータブル機器２０をＡＶ機器１０に挿入して収納し、ディスプレイ１５が閉じた状態でポータブル機器２０を動作させることができるように成されている。
【００１９】
図２は、ディスプレイ１５の可動状態を示す図である。図２では、ＡＶ機器１０の本体１０´およびその前面に配置されたディスプレイ１５を側面から見た状態を示している。図２（ａ）はディスプレイ１５が完全に閉じた状態を示し、図２（ｄ）はディスプレイ１５が完全に開き切った状態を示している。
【００２０】
例えば、図２（ａ）の閉じた状態からディスプレイ１５を開く場合、まずディスプレイ１５の回動スペースを確保するために、図２（ｂ）のようにディスプレイ１５が前方に所定量だけ平行移動する。その後、図２（ｃ）のようにディスプレイ１５がその下端部を回転軸として回動を始め、最終的には図２（ｄ）のようにディスプレイ１５が完全に開く。図２（ｄ）の閉じた状態からディスプレイ１５を閉じる場合は、以上と逆の手順で行う。
【００２１】
マイコン１８は、上述した音声信号セレクタ１１、ディスプレイ１５およびモータドライバ１６の動作を制御する。すなわち、マイコン１８は、ディスプレイ１５に配置されたタッチパネルへの操作を通じてユーザによって指示された音声ソースを選択するように、音声信号セレクタ１１を制御する。また、マイコン１８は、ディスプレイ１５に対する各種情報の表示制御も行う。
【００２２】
また、マイコン１８は、ポータブル機器２０がＡＶ機器１０に収納された状態で、ポータブル機器２０が備えるマイコン２５とシリアル通信インタフェース（Ｉ／Ｆ）３０を介して電気的に接続されるようになっている。ＡＶ機器１０のマイコン１８とポータブル機器２０のマイコン２５とは、この通信Ｉ／Ｆ３０を介して情報のやり取りをする。
【００２３】
具体的には、マイコン１８は、ポータブル機器２０に備えられた内蔵アンテナ２２を介して受信される信号の受信電界強度に関する情報を、ポータブル機器２０から通信Ｉ／Ｆ３０を介して取得する。また、マイコン１８は、ポータブル機器２０に備えられた内蔵マイク２１のマイク感度に関する情報を、ポータブル機器２０から通信Ｉ／Ｆ３０を介して取得する。そして、これらの取得した受信電界強度およびマイク感度に応じてモータドライバ１６を駆動し、ディスプレイ１５の開き度合いを制御する。このように、ＡＶ機器１０のマイコン１８は、本発明の電界強度取得部、マイク感度取得部およびディスプレイ駆動部に相当する。
【００２４】
例えば、ポータブル機器２０をハンズフリー通話に利用する場合、マイコン１８は、まず、ポータブル機器２０のマイコン２５との通信を通じて、ＡＶ機器１０の外部にある携帯電話（図示せず）での着信の有無を判定する。すなわち、携帯電話で着信があると、それがポータブル機器２０に通知され、さらにポータブル機器２０のマイコン２５からＡＶ機器１０のマイコン１８に通知される。マイコン１８は、この通知が有ったかどうかによって、着信の有無を判定する。そして、着信があったと判断した場合に、上述した受信電界強度およびマイク感度に関する情報をポータブル機器２０から取得する。
【００２５】
そして、この取得した受信電界強度およびマイク感度に応じてモータドライバ１６を駆動し、ディスプレイ１５の開き度合いを制御する。具体的には、マイコン１８は、取得した受信電界強度が所定レベル以上か否か、マイク感度が所定レベル以上か否かを判定し、受信電界強度とマイク感度の少なくとも一方が所定レベル以上でない場合に、モータドライバ１６を駆動して、ディスプレイ１５を所定量だけ開くように制御する。この状態で再びポータブル機器２０から受信電界強度およびマイク感度に関する情報を取得し、取得した受信電界強度およびマイク感度がまだ所定レベルに達していなければ、モータドライバ１６を駆動して、ディスプレイ１５を所定量だけ更に開くように制御する。
【００２６】
また、ポータブル機器２０を音楽のダウンロード再生に利用する場合、マイコン１８は、まず、ポータブル機器２０を利用して音楽のダウンロード再生を行うモードに設定されているか否かを判定する。すなわち、マイコン１８は、タッチパネルの操作を通じてユーザによりダウンロード再生モードが指定されているか否かを判定する。ダウンロード再生モードが指定されていると判断した場合、マイコン１８は、ポータブル機器２０から受信電界強度に関する情報を取得し、その受信電界強度に応じてディスプレイ１５の開き度合いを制御する。
【００２７】
具体的には、マイコン１８は、取得した受信電界強度が所定レベル以上か否かを判定し、受信電界強度が所定レベル以上でない場合に、モータドライバ１６を駆動して、ディスプレイ１５を所定量だけ開くように制御する。この状態で再びポータブル機器２０から受信電界強度に関する情報を取得し、取得した受信電界強度がまだ所定レベルに達していなければ、モータドライバ１６を駆動して、ディスプレイ１５を所定量だけ更に開くように制御する。
【００２８】
次に、ポータブル機器２０の内部構成について説明する。図１に示すように、ポータブル機器２０は、内蔵マイク２１、内蔵アンテナ２２、ＣＯＤＥＣ（COder-DECoder）２３、Bluetoothユニット２４およびマイコン２５を備えている。ＣＯＤＥＣ２３は、内蔵マイク２１より入力されるアナログ音声信号をデジタル音声データに変換してBluetoothユニット２４に出力する。また、ＣＯＤＥＣ２３は、Bluetoothユニット２４から入力されるデジタル音声データをアナログ音声信号に変換してＡＶ機器１０の音声信号セレクタ１１に出力する。
【００２９】
例えば、ポータブル機器２０をハンズフリー通話に利用する場合、ＣＯＤＥＣ２３は、内蔵マイク２１より入力される送話音声のアナログ信号をデジタル音声データに変換してBluetoothユニット２４に出力する。また、ＣＯＤＥＣ２３は、Bluetoothユニット２４から供給された受話音声のデジタルデータをアナログ音声信号に変換して音声信号セレクタ１１に出力する。
【００３０】
また、ポータブル機器２０を音楽のダウンロード再生に利用する場合、ＣＯＤＥＣ２３は、Bluetoothユニット２４でデコードされた音楽データをアナログ音声信号に変換して音声信号セレクタ１１に出力する。
【００３１】
Bluetoothユニット２４は、内蔵アンテナ２２を介して、図示しない外部機器との間でBluetooth通信を行う。例えば、ポータブル機器２０をハンズフリー通話に利用する場合、Bluetoothユニット２４は、ＣＯＤＥＣ２３から入力した送話音声のデジタル音声データを内蔵アンテナ２２を介して図示しない携帯電話に送信する。また、Bluetoothユニット２４は、図示しない携帯電話から内蔵アンテナ２２を介して受話音声のデジタル音声データを受信し、ＣＯＤＥＣ２３に出力する。
【００３２】
また、ポータブル機器２０を音楽のダウンロード再生に利用する場合、Bluetoothユニット２４は、図示しない携帯型オーディオプレーヤ等から内蔵アンテナ２２を介して音楽データを受信し、それをデコードしてＣＯＤＥＣ２３に出力する。
【００３３】
また、Bluetoothユニット２４は、内蔵アンテナ２２を介して受信される信号の受信電界強度を検出し、その強度レベルを表す情報をマイコン２５に出力する。また、Bluetoothユニット２４は、ＣＯＤＥＣ２３から入力される送話音声の信号レベルに基づいて内蔵マイク２１のマイク感度を検出し、その感度レベルを表す情報をマイコン２５に出力する。マイコン２５は、Bluetoothユニット２４から入力した受信電界強度およびマイク感度に関する情報を、通信Ｉ／Ｆ３０を介してＡＶ機器１０のマイコン１８に出力する。
【００３４】
次に、上記のように構成したＡＶ機器１０の動作を説明する。図３は、第１の実施形態によるＡＶ機器１０の動作例を示すフローチャートである。ここでは、ポータブル機器２０をハンズフリー通話に利用する場合の動作を示している。まず、マイコン１８は、ポータブル機器２０のマイコン２５から送られてくる情報に基づいて、図示しない携帯電話で着信が有ったか否かを判定する（ステップＳ１）。着信がなければ、ステップＳ１の処理を繰り返す。
【００３５】
なお、ポータブル機器２０をハンズフリー通話に用いる場合、ポータブル機器２０の内蔵アンテナ２２がＡＶ機器１０のディスプレイ１５によって遮蔽されていても、ＡＶ機器１０の本体とディスプレイ１５との隙間から回折・流入してくる信号を内蔵アンテナ２２が捕らえて、着信の有無を検出することは可能である。すなわち、携帯電話で着信があると、そのことが携帯電話からＡＶ機器１０内のポータブル機器２０に無線通信で通知される。さらに、ポータブル機器２０からＡＶ機器１０のマイコン１８に対して、着信のあったことが通知される。
【００３６】
マイコン１８は、このようにして着信があったと判断した場合、ポータブル機器２０の内蔵アンテナ２２を介して受信される信号の受信電界強度に関する情報と、ポータブル機器２０の内蔵マイク２１のマイク感度に関する情報とをポータブル機器２０のマイコン２５から取得する（ステップＳ２）。そして、取得した受信電界強度が、安定的に通信を行うために要求される第１のレベル以上か否かを判定する（ステップＳ３）。
【００３７】
ここで、受信電界強度が第１のレベル以上であった場合は、上記ステップＳ２で取得したマイク感度が、良好な状態で音声入力を行うために要求される第２のレベル以上か否かを判定する（ステップＳ４）。そして、受信電界強度が第１のレベル以上でないか、マイク感度が第２のレベル以上でない場合に、マイコン１８はモータドライバ１６を駆動して、ディスプレイ１５を所定量だけ開くように制御する（ステップＳ５）。
【００３８】
そして、ステップＳ２に戻り、ステップＳ２〜Ｓ５のループ処理を、受信電界強度が第１のレベル以上となり、かつ、マイク感度が第２のレベル以上となるまで繰り返し実行する。受信電界強度もマイク感度も両方とも所定のレベル以上になると、マイコン１８は通話モードに移行するようにポータブル機器２０を制御する（ステップＳ６）。これにより、ポータブル機器２０を介してハンズフリー通話を行うことができるようになる。
【００３９】
このハンズフリー通話が行われている間、マイコン１８は、ポータブル機器２０のマイコン２５から送られてくる情報に基づいて、通話が終了したか否かを判定する（ステップＳ７）。すなわち、携帯電話で通話を終了すると、それがポータブル機器２０に通知され、さらにポータブル機器２０のマイコン２５からＡＶ機器１０のマイコン１８に通知される。マイコン１８は、この通知が有ったかどうかによって、通話が終了したか否かを判定する。
【００４０】
そして、通話が終了したと判断した場合、マイコン１８はモータドライバ１６を駆動して、ステップＳ５でディスプレイ１５を開く前の元の位置にディスプレイ１５を戻す（ステップＳ８）。その後、ステップＳ１に戻る。
【００４１】
以上詳しく説明したように、第１の実施形態では、ポータブル機器２０での受信電界強度やマイク感度を取得し、その受信電界強度やマイク感度に応じてディスプレイ１５の開き度合いを制御するようにしている。これにより、ディスプレイ１５によってポータブル機器２０の内蔵アンテナ２２や内蔵マイク２１が遮蔽されていて受信電界強度やマイク感度が低下している場合には、ディスプレイ１５が自動的に開き、充分な受信電界強度やマイク感度が確保されるようになる。
【００４２】
したがって、ＡＶ機器１０に収納したポータブル機器２０の動作時に、ポータブル機器２０の内蔵アンテナ２２を介して受信される音声信号に関して充分な受信電界強度を安定的に確保することができ、音切れの発生を防止することが可能となる。また、内蔵マイク２１より入力される音声信号に関して充分なマイク感度を安定的に確保することができ、入力音声に関して良好な音質を確保することが可能となる。
【００４３】
なお、上記第１の実施形態では、ディスプレイ１５を所定量ずつ徐々に開いていき、必要な受信電界強度やマイク感度が確保できた時点で停止するようにしている。これに対して、一度の操作で、図２（ｄ）のようにディスプレイ１５を完全に開き切った状態にしてしまうようにしても良い。ただし、図２（ｄ）の状態ではディスプレイ１５の表示画面を見ることができず、タッチパネルに対する操作もできないので、上述した実施形態のようにディスプレイ１５を徐々に開いていく方式の方が好ましい。
【００４４】
また、上記第１の実施形態では、ポータブル機器２０をハンズフリー通話に用いる場合に、受信電界強度とマイク感度との両方を監視する例について説明したが、本発明はこれに限定されない。例えば、ポータブル機器２０にマイクが内蔵されておらず、マイクがＡＶ機器１０の外部に設置されるような場合には、受信電界強度のみを監視すれば良い。
【００４５】
（第２の実施形態）
次に、本発明の第２の実施形態を図面に基づいて説明する。図４は、第２の実施形態によるＡＶ機器１０およびこれに収納されるポータブル機器２０の構成例を示す図である。なお、図４において、図１に示した符号と同一の符号を付したものは同一の機能を有するものであるので、ここでは重複する説明を省略する。
【００４６】
図４に示すように、ポータブル機器２０の構成は、第１の実施形態と同様である。一方、ＡＶ機器１０に関しては、モータドライバ１６およびモータ１７の代わりに、ポータブル機器２０の移動機構１９を備えている。この移動機構１９は、マイコン１８からの制御に従って、ポータブル機器２０のＡＶ機器１０内での収納位置を移動させる働きをする。
【００４７】
図５は、ディスプレイ１５を正面から見た外観図である。図５に示すように、第２の実施形態では、ディスプレイ１５の所定位置（図５の例では、フロントパネルの左上の位置）に開口部５１が設けられている。開口部５１は、ディスプレイ１５の表面から裏面まで貫通する孔である。この開口部５１には、ＡＶ機器１０の内部に塵埃が入らないようにするために、電気的に開閉できるように成されたシャッタが設けられており、普段はこれが閉じている。
【００４８】
マイコン１８は、ポータブル機器２０のマイコン２５より送られてくる受信電界強度やマイク感度に関する情報に応じて、開口部５１のシャッタの開閉を制御するとともに、移動機構１９を駆動してポータブル機器２０の収納位置を制御する。このように、第２の実施形態においてマイコン１８は、本発明の機器駆動部およびシャッタ制御部に相当する。
【００４９】
図６は、マイコン１８によって制御されるポータブル機器２０の収納状態およびおよび開口部５１の開閉状態を示す図である。図６では、ＡＶ機器１０の本体１０´およびその前面に配置されたディスプレイ１５を側面から見た状態を示している。なお、図６では図示していないが、ＡＶ機器１０へポータブル機器２０を挿入するための挿入口が、図７のように本体１０´の上部に設けられている。
【００５０】
図６（ａ）は、定常状態におけるポータブル機器２０の収納状態と開口部５１の開閉状態を示している。ＡＶ機器１０の挿入口から挿入されたポータブル機器２０は、移動機構１９によってＡＶ機器１０の内部を移動し、図６（ａ）のように本体１０´の下部に収納される。このとき、開口部５１のシャッタは、ＡＶ機器１０の内部に塵埃が入らないように閉じられている。
【００５１】
これに対して、ＡＶ機器１０のマイコン１８は、ハンズフリー通話または音楽ダウンロード再生の実行時に、ポータブル機器２０のマイコン２５から取得した受信電界強度とマイク感度の少なくとも一方が所定レベル以上でない場合に、移動機構１９を駆動して、図６（ｂ）に示すようにポータブル機器２０を開口部５１に近づけるように制御するとともに、開口部５１のシャッタを開くように制御する。また、ハンズフリー通話または音楽ダウンロード再生が終了したときは、ポータブル機器２０を図６（ａ）に示す元の位置に戻すように制御するとともに、開口部５１のシャッタを閉じるように制御する。
【００５２】
以上詳しく説明したように、第２の実施形態では、ポータブル機器２０での受信電界強度やマイク感度を取得し、その受信電界強度やマイク感度が所定レベルに達していないときには、ポータブル機器２０の収納位置が開口部５１に近づくように制御するとともに、開口部５１のシャッタを開くようにしている。これにより、ディスプレイ１５によってポータブル機器２０の内蔵アンテナ２２および内蔵マイク２１が遮蔽されていて受信電界強度やマイク感度が低下している場合には、開口部５１のシャッタが自動的に開くとともに、その開いた開口部５１にポータブル機器２０が近づくように収納位置が移動することで、充分な受信電界強度やマイク感度が確保されるようになる。
【００５３】
したがって、ＡＶ機器１０に収納したポータブル機器２０の動作時に、ポータブル機器２０の内蔵アンテナ２２を介して受信される音声信号に関して充分な受信電界強度を安定的に確保することができ、音切れの発生を防止することが可能となる。また、内蔵マイク２１より入力される音声信号に関して充分なマイク感度を安定的に確保することができ、入力音声に関して良好な音質を確保することが可能となる。
【００５４】
なお、上記第２の実施形態では、定常状態でポータブル機器２０は図６（ａ）のようにＡＶ機器１０の下部に収納される例について説明したが、本発明はこれに限定されない。例えば、定常状態においてポータブル機器２０が図６（ｂ）のようにＡＶ機器１０の上部に収納されるようにしても良い。この場合は、移動機構１９は不要となり、マイコン１８は、受信電界強度やマイク感度に応じて開口部５１のシャッタの開閉のみを制御すれば良い。
【００５５】
また、上記第２の実施形態では、開口部５１をディスプレイ１５の上部に備える例について説明したが、本発明はこれに限定されない。例えば、ディスプレイ１５の下部に開口部５１を設けるようにしても良い。この場合、定常状態におけるポータブル機器２０の収納位置が図６（ａ）のようにＡＶ機器１０の下部であれば、マイコン１８は、受信電界強度やマイク感度に応じて開口部５１のシャッタの開閉のみを制御すれば良い。
【００５６】
また、上記第１および第２の実施形態では、無線通信の規格としてBluetoothを例に挙げて説明したが、本発明はこれに限定されるものではない。例えば、無線ＬＡＮ、ZigBee、モバイルWiMAX（World Interoperability for Microwave Access）、WiBro（Wireless Broadband）など他の無線通信規格を適用したものであっても良い。
【００５７】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００５８】
本発明は、本体の前面に配置されたディスプレイが可動し、ディスプレイが開いた状態でポータブル機器を本体内に挿入して収納し、ディスプレイが閉じた状態でポータブル機器を動作させることができるように成されたＡＶ機器に有用である。
【図面の簡単な説明】
【００５９】
【図１】第１の実施形態によるＡＶ機器およびこれに収納されるポータブル機器の構成例を示す図である。
【図２】ディスプレイの可動状態を示す図である。
【図３】第１の実施形態によるＡＶ機器の動作例を示すフローチャートである。
【図４】第２の実施形態によるＡＶ機器およびこれに収納されるポータブル機器の構成例を示す図である。
【図５】第２の実施形態によるディスプレイを正面から見た外観図である。
【図６】ポータブル機器の収納状態およびおよび開口部の開閉状態を示す図である。
【図７】Bluetoothアンテナを備えたポータブル機器を収納できるように成されたＡＶ機器の外観構成例を示す図である。
【符号の説明】
【００６０】
１０  ＡＶ機器
１５  ディスプレイ
１６  モータドライバ
１７  モータ
１８  マイコン
１９  移動機構
２０  ポータブル機器
２１  内蔵マイク
２２  内蔵アンテナ
２４  Bluetoothユニット
２５  マイコン
５１  開口部
【図１】
0004547539.tif 000002
【図２】
0004547539.tif 000003
【図３】
0004547539.tif 000004
【図４】
0004547539.tif 000005
【図５】
0004547539.tif 000006
【図６】
0004547539.tif 000007
【図７】
0004547539.tif 000008